(57)【要約】【課題】大容量のストレージを有さない画像処理装置であっても、印刷後の画像のデータを自身が保存することなく利用可能にすると共に、セキュリティを確保可能な画像処理技術を提供する。【解決手段】ＭＦＰ１は、ユーザからの要求に応じて画像を印刷する場合、印刷用の画像を生成した後、当該画像に対する暗号キーを発行し、当該画像及び暗号キーをＭＦＰ２に送信する。ＭＦＰ２は、ＭＦＰ１から送信された暗号キーを用いて画像を暗号化して暗号画像を保存する。その後、ＭＦＰ２は、ユーザからの画像の再印刷要求に応じて、画像の利用に対する応答を要求する利用依頼要求をＭＦＰ１に送信する。ＭＦＰ１は、利用依頼要求に応じて、暗号キーを含む応答をＭＦＰ２に送信する。ＭＦＰ２は、応答に含まれる暗号キーを用いて暗号画像を復号化して印刷する。【選択図】        図１
2009071656.tif 000002
【特許請求の範囲】
【請求項１】
第１画像処理装置及び画像を記憶可能な画像記憶手段を有する第２画像処理装置がネットワークを介して接続され、
前記第１画像処理装置は、
ユーザからの要求入力を受け付ける第１入力受付手段と、
画像の出力を要求する出力要求入力を前記入力受付手段が受け付けた場合、当該出力要求入力に応じた画像を生成する生成手段と、
前記生成手段が生成した画像を出力する第１出力手段と、
前記生成手段が生成した画像の保存を要求する保存要求入力を前記入力受付手段が受け付けた場合、前記画像に対して暗号キーを発行する発行手段と、
前記第２画像処理装置に前記画像及び前記暗号キーを送信する画像送信手段と、
前記暗号キーを用いて前記画像を暗号化した暗号画像を前記画像記憶手段に記憶した前記第２画像処理装置から、当該画像の利用に対する応答を要求する利用依頼要求を受信する利用受信手段と、
前記利用受信手段が受信した前記利用依頼要求に応じて、前記発行手段が発行した暗号キーを前記第２画像処理装置に送信する応答送信手段とを有し、
前記第２画像処理装置は、
前記画像送信手段が送信した前記画像及び前記暗号キーを受信する画像受信手段と、
前記画像受信手段が受信した前記暗号キーを用いて、前記画像受信手段が受信した前記画像を暗号化する暗号化手段と、
前記暗号化手段が前記画像を暗号化した暗号画像を前記画像記憶手段に記憶させる画像記憶制御手段と、
ユーザからの要求入力を受け付ける第２入力受付手段と、
前記画像の出力を要求する出力要求入力を前記第２入力受付手段が受け付けた場合、当該画像の利用に対する応答を要求する利用依頼要求を前記第１画像処理装置に送信する利用要求送信手段と、
前記利用要求送信手段が送信した前記利用依頼要求に応じて前記第１画像処理装置から送信された前記暗号キーを用いて、当該暗号キーを用いて暗号化され前記画像記憶手段に記憶された前記暗号画像を復号化する復号化手段と、
前記復号化手段が復号化した画像を出力する第２出力手段とを有する
ことを特徴とする画像処理システム。
【請求項２】
前記画像送信手段は、前記画像及び前記暗号キーを異なるタイミングで前記第２画像処理装置に送信する
ことを特徴とする請求項１に記載の画像処理システム。
【請求項３】
前記発行手段が発行した前記暗号キーと前記画像との対応関係を記憶する対応関係記憶手段を更に有し、
前記利用受信手段は、前記画像を指定する画像指定情報を含む前記利用依頼要求を受信し、
前記応答送信手段は、前記利用受信手段が受信した前記利用依頼要求に含まれる前記画像指定情報によって指定される画像との対応関係が前記対応関係記憶手段に記憶された前記暗号キーを前記第２画像処理装置に送信する
ことを特徴とする請求項１又は２に記載の画像処理システム。
【請求項４】
第１画像処理装置及び画像を記憶可能な画像記憶手段を有する第２画像処理装置がネットワークを介して接続され、
前記第１画像処理装置は、
ユーザからの要求入力を受け付ける第１入力受付手段と、
画像の出力を要求する出力要求入力を前記第１入力受付手段が受け付けた場合、当該出力要求入力に応じた画像を生成する生成手段と、
前記生成手段が生成した画像を出力する第１出力手段と、
前記生成手段が生成した画像の保存を要求する保存要求入力を前記第１入力受付手段が受け付けた場合、前記画像に対して暗号キーを発行する発行手段と、
前記発行手段が発行した暗号キーを用いて前記画像を暗号化する暗号化手段と、
前記第２画像処理装置に、前記暗号化手段が暗号化した暗号画像及び前記暗号キーを送信する暗号画像送信手段と、
前記画像が暗号化された暗号画像を前記画像記憶手段に記憶した前記第２画像処理装置から、当該暗号画像を含み且つ当該画像の利用に対する応答を要求する利用依頼要求を受信する利用受信手段と、
前記利用受信手段が受信した前記利用依頼要求に含まれる暗号画像を、前記発行手段が発行した暗号キーを用いて復号化する復号化手段と、
前記復号化手段が復号化した画像を前記第２画像処理装置に送信する復号画像送信手段とを有し、
前記第２画像処理装置は、
前記暗号画像送信手段が送信した暗号キー及び前記暗号画像を受信する暗号画像受信手段と、
前記暗号画像受信手段が受信した暗号画像を前記画像記憶手段に記憶させる画像記憶制御手段と、
ユーザからの要求入力を受け付ける第２入力受付手段と、
前記画像の出力を要求する出力要求入力を前記第２入力受付手段が受け付けた場合、当該画像の利用に対する応答を要求する利用依頼要求を前記第１画像処理装置に送信する利用要求送信手段と、
前記利用依頼要求に応じて前記第１画像処理装置から送信された画像を出力する第２出力手段とを有する
ことを特徴とする画像処理システム。
【請求項５】
前記発行手段が発行した前記暗号キーと前記画像との対応関係を記憶する対応関係記憶手段を更に有し、
前記利用受信手段は、前記画像を指定する画像指定情報を更に含む前記利用依頼要求を受信し、
前期復号化手段は、前記利用受信手段が受信した前記利用依頼要求に含まれる暗号画像を、前記利用受信手段が受信した前記利用依頼要求に含まれる前記画像指定情報によって指定される画像との対応関係が前記対応関係記憶手段に記憶された前記暗号キーを用いて復号化する
ことを特徴とする請求項４に記載の画像処理システム。
【請求項６】
前記第１画像処理装置は、
前記対応関係を、前記第１画像処理装置及び前記第２画像処理装置に着脱可能な記憶媒体に記憶させる第１記憶制御手段を更に有し、
前記第１画像処理装置は、
記憶手段と、
前記記憶媒体に記憶された前記対応関係を取得してこれを前記記憶手段に記憶させる第２記憶制御手段とを更に有する
ことを特徴とする請求項３又は５に記載の画像処理システム。
【請求項７】
前記発行手段は、前記生成手段が前記画像を生成する毎に前記暗号キーを発行する
ことを特徴とする請求項１乃至６のいずれか一項に記載の画像処理システム。
【請求項８】
第１画像処理装置及び画像を記憶可能な画像記憶手段を有する第２画像処理装置がネットワークを介して接続され、
前記第１画像処理装置は、
ユーザからの要求入力を受け付ける第１入力受付手段と、
画像の出力を要求する出力要求入力を前記第１入力受付手段が受け付けた場合、当該出力要求入力に応じた画像を生成する生成手段と、
前記生成手段が生成した画像を出力する第１出力手段と、
前記生成手段が生成した画像の保存を要求する保存要求入力を前記入力受付手段が受け付けた場合、前記画像に対して暗号キーを発行する発行手段と、
前記第２画像処理装置に前記画像及び前記暗号キーを送信する画像送信手段と、
前記発行手段が発行した前記暗号キーと前記画像との対応関係を、前記第１画像処理装置及び前記第２画像処理装置に着脱可能な記憶媒体に記憶させる第１記憶制御手段とを有し、
前記第２画像処理装置は、
前記画像送信手段が送信した前記画像及び前記暗号キーを受信する画像受信手段と、
前記画像受信手段が受信した前記暗号キーを用いて、前記画像受信手段が受信した前記画像を暗号化する暗号化手段と、
前記暗号化手段が前記画像を暗号化した暗号画像を前記画像記憶手段に記憶させる画像記憶制御手段と、
前記記憶媒体に記憶された対応関係を用いて、前記画像記憶手段に記憶された前記暗号画像及び当該暗号画像に対応する暗号キーを取得する取得手段と、
前記取得手段が取得した前記暗号キーを用いて、前記取得手段が取得した前記暗号画像を復号化する復号化手段と、
前記復号化手段が復号化した画像を出力する第２出力手段とを有する
ことを特徴とする画像処理システム。
【請求項９】
ユーザからの要求入力を受け付ける第１入力受付手段と、
画像の出力を要求する第１出力要求入力を前記入力受付手段が受け付けた場合、当該第１出力要求入力に応じた画像を生成する生成手段と、
前記生成手段が生成した画像を出力する第１出力手段と、
前記生成手段が生成した画像の保存を要求する保存要求入力を前記入力受付手段が受け付けた場合、前記画像に対して暗号キーを発行する発行手段と、
画像を記憶可能な画像記憶手段を備える他の画像処理装置に前記画像及び前記暗号キーを送信する送信手段と、
前記暗号キーを用いて前記画像を暗号化した暗号画像を前記画像記憶手段に記憶した前記第２画像処理装置から、当該画像の利用に対する応答を要求する利用依頼要求を受信する受信手段と、
画像を復号化する復号化手段と、
前記復号化手段が復号化した画像を出力する出力手段とを備え、
前記送信手段は、前記受信手段が受信した前記利用依頼要求に応じて、前記発行手段が発行した暗号キーを前記他の画像処理装置に送信し、その後、前記画像の出力を要求する第２出力要求入力を前記第１入力受付手段が受け付けた場合、前記画像の送信を要求する送信要求を前記他の画像処理装置に送信し、
前記受信手段は、前記送信要求に従って前記他の画像処理装置から送信された前記暗号画像を受信し、
前記復号化手段は、前記受信手段が受信した前記暗号画像を、前記発行手段が発行した暗号キーを用いて復号化する
ことを特徴とする画像処理装置。
【請求項１０】
ユーザからの要求入力を受け付ける第１入力受付手段と、
画像の出力を要求する出力要求入力を前記入力受付手段が受け付けた場合、当該出力要求入力に応じた画像を生成する生成手段と、
前記生成手段が生成した画像を出力する第１出力手段と、
前記生成手段が生成した画像の保存を要求する保存要求入力を前記入力受付手段が受け付けた場合、前記画像に対して暗号キーを発行する発行手段と、
前記発行手段が発行した暗号キーを用いて前記画像を暗号化する暗号化手段と、
画像を記憶可能な画像記憶手段を備える他の画像処理装置に、前記暗号化手段が暗号化した暗号画像及び前記暗号キーを送信する送信手段と、
前記画像が暗号化された前記暗号画像を前記画像記憶手段に記憶した前記他の画像処理装置から、当該暗号画像を含み且つ当該画像の利用に対する応答を要求する利用依頼要求を受信する受信手段と、
画像を復号化する復号化手段と、
前記復号化手段が復号化した画像を出力する出力手段とを備え、
前記送信手段は、前記受信手段が受信した前記利用依頼要求に応じて、前記復号化手段が復号化した画像を前記他の画像処理装置に送信し、その後、前記画像の出力を要求する第２出力要求入力を前記第１入力受付手段が受け付けた場合、当該画像が暗号化された前記暗号画像の送信を要求する送信要求を前記他の画像処理装置に送信し、
前記受信手段は、前記送信要求に従って前記他の画像処理装置から送信された前記暗号画像を受信し、
前記復号化手段は、前記受信手段が受信した前記利用依頼要求に含まれる暗号画像及び前記送信要求に従って前記他の画像処理装置から送信され前記受信手段が受信した前記暗号画像を、前記発行手段が発行した暗号キーを用いて復号化する
ことを特徴とする画像処理装置。
【発明の詳細な説明】
【技術分野】
【０００１】
本発明は、画像処理システム及び画像処理装置に関し、特に、画像の記憶に関する。
【背景技術】
【０００２】
従来より、印刷装置などの画像処理装置は、印刷対象の画像のデータを一時的に記憶するメモリに展開し、画像の印刷後には画像のデータを破棄していた。一方、近年、ハードディスクなどの不揮発性の大容量のストレージを備えた画像処理装置も増えてきている。このようなストレージを備えた画像処理装置は、画像の印刷後も画像のデータをストレージに保存し、必要に応じてストレージから画像を検索し、この画像のデータを用いて再印刷することができる(例えば、特許文献１参照)。特許文献１に記載の画像処理装置では、画像のデータのみならず印刷ジョブに関するデータや画像処理装置の状態に関するデータをストレージに保存することにより、画像処理装置に不具合が生じた場合に迅速に対処可能である。
【０００３】
【特許文献１】特開2003-54089号公報
【発明の開示】
【発明が解決しようとする課題】
【０００４】
しかしながら、ハードディスクを画像処理装置が備える場合、コストが高くなり、またサイズも大きくなる。従って、ハードディスクを小型で安価な画像処理装置に搭載することは難しい。このため、ハードディスクなどのストレージを備えない画像処理装置であっても、印刷後の画像のデータや画像処理に関するデータなどの多くのデータを自身が保存することなく利用可能になることが望まれていた。一方で、ハードディスクなどのストレージを備える画像処理装置では、ストレージが本体から取り外されて持ち去られた場合、ストレージに保存されたデータが流出する恐れがある。このようなデータの流出は、セキュリティ上大変好ましくない。
【０００５】
そこで、本発明は上記に鑑みてなされたものであって、大容量のストレージを備えない画像処理装置であっても、印刷後の画像のデータを自身が保存することなく利用可能にすると共に、セキュリティを確保可能な画像処理システム及び画像処理装置を提供することを目的とする。
【課題を解決するための手段】
【０００６】
上述した課題を解決し、目的を達成するために、請求項１にかかる発明は、画像処理システムであって、第１画像処理装置及び画像を記憶可能な画像記憶手段を有する第２画像処理装置がネットワークを介して接続され、前記第１画像処理装置は、ユーザからの要求入力を受け付ける第１入力受付手段と、画像の出力を要求する出力要求入力を前記入力受付手段が受け付けた場合、当該出力要求入力に応じた画像を生成する生成手段と、前記生成手段が生成した画像を出力する第１出力手段と、前記生成手段が生成した画像の保存を要求する保存要求入力を前記入力受付手段が受け付けた場合、前記画像に対して暗号キーを発行する発行手段と、前記第２画像処理装置に前記画像及び前記暗号キーを送信する画像送信手段と、前記暗号キーを用いて前記画像を暗号化した暗号画像を前記画像記憶手段に記憶した前記第２画像処理装置から、当該画像の利用に対する応答を要求する利用依頼要求を受信する利用受信手段と、前記利用受信手段が受信した前記利用依頼要求に応じて、前記発行手段が発行した暗号キーを前記第２画像処理装置に送信する応答送信手段とを有し、前記第２画像処理装置は、前記画像送信手段が送信した前記画像及び前記暗号キーを受信する画像受信手段と、前記画像受信手段が受信した前記暗号キーを用いて、前記画像受信手段が受信した前記画像を暗号化する暗号化手段と、前記暗号化手段が前記画像を暗号化した暗号画像を前記画像記憶手段に記憶させる画像記憶制御手段と、ユーザからの要求入力を受け付ける第２入力受付手段と、前記画像の出力を要求する出力要求入力を前記第２入力受付手段が受け付けた場合、当該画像の利用に対する応答を要求する利用依頼要求を前記第１画像処理装置に送信する利用要求送信手段と、前記利用要求送信手段が送信した前記利用依頼要求に応じて前記第１画像処理装置から送信された前記暗号キーを用いて、当該暗号キーを用いて暗号化され前記画像記憶手段に記憶された前記暗号画像を復号化する復号化手段と、前記復号化手段が復号化した画像を出力する第２出力手段とを有することを特徴とする。
【０００７】
また、請求項２にかかる発明は、請求項１にかかる発明において、前記画像送信手段は、前記画像及び前記暗号キーを異なるタイミングで前記第２画像処理装置に送信することを特徴とする。
【０００８】
また、請求項３にかかる発明は、請求項１又は２にかかる発明において、前記発行手段が発行した前記暗号キーと前記画像との対応関係を記憶する対応関係記憶手段を更に有し、前記利用受信手段は、前記画像を指定する画像指定情報を含む前記利用依頼要求を受信し、前記応答送信手段は、前記利用受信手段が受信した前記利用依頼要求に含まれる前記画像指定情報によって指定される画像との対応関係が前記対応関係記憶手段に記憶された前記暗号キーを前記第２画像処理装置に送信することを特徴とする。
【０００９】
また、請求項４にかかる発明は、画像処理システムであって、第１画像処理装置及び画像を記憶可能な画像記憶手段を有する第２画像処理装置がネットワークを介して接続され、前記第１画像処理装置は、ユーザからの要求入力を受け付ける第１入力受付手段と、画像の出力を要求する出力要求入力を前記第１入力受付手段が受け付けた場合、当該出力要求入力に応じた画像を生成する生成手段と、前記生成手段が生成した画像を出力する第１出力手段と、前記生成手段が生成した画像の保存を要求する保存要求入力を前記第１入力受付手段が受け付けた場合、前記画像に対して暗号キーを発行する発行手段と、前記発行手段が発行した暗号キーを用いて前記画像を暗号化する暗号化手段と、前記第２画像処理装置に、前記暗号化手段が暗号化した暗号画像及び前記暗号キーを送信する暗号画像送信手段と、前記画像が暗号化された暗号画像を前記画像記憶手段に記憶した前記第２画像処理装置から、当該暗号画像を含み且つ当該画像の利用に対する応答を要求する利用依頼要求を受信する利用受信手段と、前記利用受信手段が受信した前記利用依頼要求に含まれる暗号画像を、前記発行手段が発行した暗号キーを用いて復号化する復号化手段と、前記復号化手段が復号化した画像を前記第２画像処理装置に送信する復号画像送信手段とを有し、前記第２画像処理装置は、前記暗号画像送信手段が送信した暗号キー及び前記暗号画像を受信する暗号画像受信手段と、前記暗号画像受信手段が受信した暗号画像を前記画像記憶手段に記憶させる画像記憶制御手段と、ユーザからの要求入力を受け付ける第２入力受付手段と、前記画像の出力を要求する出力要求入力を前記第２入力受付手段が受け付けた場合、当該画像の利用に対する応答を要求する利用依頼要求を前記第１画像処理装置に送信する利用要求送信手段と、前記利用依頼要求に応じて前記第１画像処理装置から送信された画像を出力する第２出力手段とを有することを特徴とする。
【００１０】
また、請求項５にかかる発明は、請求項４にかかる発明において、前記発行手段が発行した前記暗号キーと前記画像との対応関係を記憶する対応関係記憶手段を更に有し、前記利用受信手段は、前記画像を指定する画像指定情報を更に含む前記利用依頼要求を受信し、前期復号化手段は、前記利用受信手段が受信した前記利用依頼要求に含まれる暗号画像を、前記利用受信手段が受信した前記利用依頼要求に含まれる前記画像指定情報によって指定される画像との対応関係が前記対応関係記憶手段に記憶された前記暗号キーを用いて復号化することを特徴とする。
【００１１】
また、請求項６にかかる発明は、請求項３又は５にかかる発明において、前記第１画像処理装置は、前記対応関係を、前記第１画像処理装置及び前記第２画像処理装置に着脱可能な記憶媒体に記憶させる第１記憶制御手段を更に有し、前記第１画像処理装置は、記憶手段と、前記記憶媒体に記憶された前記対応関係を取得してこれを前記記憶手段に記憶させる第２記憶制御手段とを更に有することを特徴とする。
【００１２】
また、請求項７にかかる発明は、請求項１乃至６のいずれか一項にかかる発明において、前記発行手段は、前記生成手段が前記画像を生成する毎に前記暗号キーを発行することを特徴とする。
【００１３】
また、請求項８にかかる発明は、画像処理システムであって、第１画像処理装置及び画像を記憶可能な画像記憶手段を有する第２画像処理装置がネットワークを介して接続され、前記第１画像処理装置は、ユーザからの要求入力を受け付ける第１入力受付手段と、画像の出力を要求する出力要求入力を前記第１入力受付手段が受け付けた場合、当該出力要求入力に応じた画像を生成する生成手段と、前記生成手段が生成した画像を出力する第１出力手段と、前記生成手段が生成した画像の保存を要求する保存要求入力を前記入力受付手段が受け付けた場合、前記画像に対して暗号キーを発行する発行手段と、前記第２画像処理装置に前記画像及び前記暗号キーを送信する画像送信手段と、前記発行手段が発行した前記暗号キーと前記画像との対応関係を、前記第１画像処理装置及び前記第２画像処理装置に着脱可能な記憶媒体に記憶させる第１記憶制御手段とを有し、前記第２画像処理装置は、前記画像送信手段が送信した前記画像及び前記暗号キーを受信する画像受信手段と、前記画像受信手段が受信した前記暗号キーを用いて、前記画像受信手段が受信した前記画像を暗号化する暗号化手段と、前記暗号化手段が前記画像を暗号化した暗号画像を前記画像記憶手段に記憶させる画像記憶制御手段と、前記記憶媒体に記憶された対応関係を用いて、前記画像記憶手段に記憶された前記暗号画像及び当該暗号画像に対応する暗号キーを取得する取得手段と、前記取得手段が取得した前記暗号キーを用いて、前記取得手段が取得した前記暗号画像を復号化する復号化手段と、前記復号化手段が復号化した画像を出力する第２出力手段とを有することを特徴とする。
【００１４】
また、請求項９にかかる発明は、画像処理装置であって、ユーザからの要求入力を受け付ける第１入力受付手段と、画像の出力を要求する第１出力要求入力を前記入力受付手段が受け付けた場合、当該第１出力要求入力に応じた画像を生成する生成手段と、前記生成手段が生成した画像を出力する第１出力手段と、前記生成手段が生成した画像の保存を要求する保存要求入力を前記入力受付手段が受け付けた場合、前記画像に対して暗号キーを発行する発行手段と、画像を記憶可能な画像記憶手段を備える他の画像処理装置に前記画像及び前記暗号キーを送信する送信手段と、前記暗号キーを用いて前記画像を暗号化した暗号画像を前記画像記憶手段に記憶した前記他の画像処理装置から、当該画像の利用に対する応答を要求する利用依頼要求を受信する受信手段と、画像を復号化する復号化手段と、前記復号化手段が復号化した画像を出力する出力手段とを備え、前記送信手段は、前記受信手段が受信した前記利用依頼要求に応じて、前記発行手段が発行した暗号キーを前記他の画像処理装置に送信し、その後、前記画像の出力を要求する第２出力要求入力を前記第１入力受付手段が受け付けた場合、前記画像の送信を要求する送信要求を前記他の画像処理装置に送信し、前記受信手段は、前記送信要求に従って前記他の画像処理装置から送信された前記暗号画像を受信し、前記復号化手段は、前記受信手段が受信した前記暗号画像を、前記発行手段が発行した暗号キーを用いて復号化することを特徴とする。
【００１５】
また、請求項１０にかかる発明は、画像処理装置であって、ユーザからの要求入力を受け付ける第１入力受付手段と、画像の出力を要求する出力要求入力を前記入力受付手段が受け付けた場合、当該出力要求入力に応じた画像を生成する生成手段と、前記生成手段が生成した画像を出力する第１出力手段と、前記生成手段が生成した画像の保存を要求する保存要求入力を前記入力受付手段が受け付けた場合、前記画像に対して暗号キーを発行する発行手段と、前記発行手段が発行した暗号キーを用いて前記画像を暗号化する暗号化手段と、画像を記憶可能な画像記憶手段を備える他の画像処理装置に、前記暗号化手段が暗号化した暗号画像及び前記暗号キーを送信する送信手段と、前記画像が暗号化された前記暗号画像を前記画像記憶手段に記憶した前記他の画像処理装置から、当該暗号画像を含み且つ当該画像の利用に対する応答を要求する利用依頼要求を受信する受信手段と、画像を復号化する復号化手段と、前記復号化手段が復号化した画像を出力する出力手段とを備え、前記送信手段は、前記受信手段が受信した前記利用依頼要求に応じて、前記復号化手段が復号化した画像を前記他の画像処理装置に送信し、その後、前記画像の出力を要求する第２出力要求入力を前記第１入力受付手段が受け付けた場合、当該画像が暗号化された前記暗号画像の送信を要求する送信要求を前記他の画像処理装置に送信し、前記受信手段は、前記送信要求に従って前記他の画像処理装置から送信された前記暗号画像を受信し、前記復号化手段は、前記受信手段が受信した前記利用依頼要求に含まれる暗号画像及び前記送信要求に従って前記他の画像処理装置から送信され前記受信手段が受信した前記暗号画像を、前記発行手段が発行した暗号キーを用いて復号化することを特徴とする。
【発明の効果】
【００１６】
本発明によれば、画像処理装置は自身でストレージを備えなくとも、他の画像処理装置の備えるストレージを利用することができると共に、当該ストレージに保存されたデータが例え流出したとしても、当該データを容易に復元することができないため、セキュリティを確保することができる。
【発明を実施するための最良の形態】
【００１７】
以下に添付図面を参照して、この発明にかかる画像処理システム及び画像処理装置の最良な実施の形態を詳細に説明する。
【００１８】
[第１の実施の形態]
（１）構成
図１は、本実施の形態にかかる画像処理システムの構成を例示する図である。画像処理システムＳＹＭ１は、各種画像処理装置として、印刷機能を有するプリンタ装置ＰＲ１と、ファクシミリ機能を有するファックス装置ＦＫ１と、画像読み取り機能を有するスキャナ装置ＳＫ１と、前述した各機能を複合的に有する２つの複合機（ＭＦＰ：Multi Function Printer)１〜２とを有する。これらはネットワークＮＴを介して接続される。ここでは、ＭＦＰ１は、ＨＤＤなどの大容量ストレージを有さず、ＭＦＰ２が一つ以上の大容量ストレージを有し、ＭＦＰ１が生成した画像をＭＦＰ２が保存する。ネットワークＮＴは、例えば、ＬＡＮ（Local Area Network）、イントラネット、イーサネット（登録商標）又はインターネットなどである。
【００１９】
図２は、ＭＦＰ１のハードウェア構成を例示する図である。ＭＦＰ１は、ＣＰＵ（Central Processing Unit）１０と、ＡＳＩＣ（Application Specific Integrated Circuit）１１と、ＲＡＭ（Random Access Memory）１２と、ＲＯＭ（Read Only Memory）１３と、ネットワークインターフェース(Ｉ／Ｆ)１４と、オペレーションパネル１５と、ＳＤ（Secure Digital）カードドライブ１６と、エンジン部１７〜１８と、ファックス制御ユニット（図示せず）とを有する。
【００２０】
ＣＰＵ１０は、ＲＯＭ１３に記憶されたＯＳ(オペレーティングシステム)や各種プログラムをＲＡＭ１２に読み出して実行することにより装置全体を制御する。具体的には、ＣＰＵ１０は、ＣＰＵ１０に接続されている各種デバイスの入出力を制御し、印刷機能、スキャナ機能、ファクシミリ機能などの各種機能を実現させる。ＲＯＭ１３はＯＳや各種プログラムや各種データなどを記憶する。各種プログラムを実行するＣＰＵ１０の作業メモリ領域として機能する。ＲＡＭ１２には、ここでは、一部又は全部にＮＶＲＡＭなどの不揮発性メモリを用いるが、揮発性メモリを用いても良い。
【００２１】
ＡＳＩＣ１１は、ＣＰＵ１０の制御の下、画像処理やデータＩ／Ｏ処理などの処理を行うハードウェア要素をもつカスタムＩＣである。ネットワークＩ／Ｆ１４は、ＣＰＵ１０の制御の下、ネットワークＮＴを介してＭＦＰ１と外部装置とが行う通信を制御する。オペレーションパネル１５は、ユーザからの要求を受け付ける操作装置と、情報の表示を行う表示装置とが一体的に形成されたものである。ＳＤカードドライブ１６は、カードスロット（図示せず）を介してＭＦＰ１に着脱可能なＳＤカード３０に記憶されたデータの読み書きを制御する。
【００２２】
エンジン部１７は、ＣＰＵ１０の制御の下、印刷機能を実現するための印字機構部である。エンジン部１８は、ＣＰＵ１０の制御の下、スキャナ機能を実現するための光学読み取り機構部である。ファックス制御ユニットは、ＣＰＵ１０の制御の下、外部装置とのファクシミリ通信を制御する。
【００２３】
図３は、ＭＦＰ２のハードウェア構成を例示する図である。ＭＦＰ２は、ＣＰＵ２０と、ＡＳＩＣ２１と、ＲＡＭ２２と、ＲＯＭ２３と、ネットワークインターフェース(Ｉ／Ｆ)２４と、オペレーションパネル２５と、ＳＤカードドライブ２６と、エンジン部２７〜２８と、更に、ＨＤＤ２９とを有する。ＣＰＵ２０と、ＡＳＩＣ２１と、ＲＡＭ２２と、ＲＯＭ２３と、ネットワークＩ／Ｆ２４と、オペレーションパネル２５と、ＳＤカードドライブ２６と、エンジン部２７〜２８とは各々、上述のＣＰＵ１０と、ＡＳＩＣ１１と、ＲＡＭ１２と、ＲＯＭ１３と、ネットワークインターフェース１４と、オペレーションパネル１５と、ＳＤカードドライブ１６と、エンジン部１７〜１８と略同様であるため、その説明を省略する。ＨＤＤ２９は、画像や画像処理に関する情報を記憶する。
【００２４】
図１に示したプリンタ装置ＰＲ１の構成は、上述のＭＦＰ１の構成と略同様であるが、一部異なる。プリンタ装置ＰＲ１は、上述のＭＦＰ１のエンジン部１８及びファックス制御ユニットを有さない。その他の構成はＭＦＰ１と略同様であるためその図示及び説明を省略する。但し、プリンタ装置ＰＲ１のＲＯＭには、ファクシミリ機能及びスキャナ機能を実現させるための各種プログラムを記憶していなくても良い。プリンタ装置ＰＲ１のＣＰＵは、ＲＯＭに記憶された各種プログラムをＲＡＭに読み出して実行することにより、エンジン部１７と同様の印刷機能を実現するための印字機構部としてのエンジン部を制御して、印刷機能を実現させる。
【００２５】
また、スキャナ装置ＳＫ１の構成は、上述のＭＦＰ１の構成と略同様であるが、一部異なる。スキャナ装置ＳＫ１は、上述のＭＦＰ１のエンジン部１７及びファックス制御ユニットを有さない。その他の構成はＭＦＰ１と略同様であるためその図示及び説明を省略する。但し、スキャナ装置ＳＫ１のＲＯＭには、ファクシミリ機能及び印刷機能を実現させるための各種プログラムを記憶していなくても良い。プリンタ装置ＰＲ１のＣＰＵは、ＲＯＭに記憶された各種プログラムをＲＡＭに読み出して実行することにより、エンジン部１８と同様のスキャナ機能を実現するための光学読み取り機構部としてのエンジン部を制御して、印刷機能を実現させる。
【００２６】
また、ファックス装置ＦＫ１は、上述のＭＦＰ１の構成と略同様であるが、一部異なる。ファックス装置ＦＫ１は、上述のＭＦＰ１のエンジン部１８を有さない。その他の構成はＭＦＰ１と略同様であるためその図示及び説明を省略する。但し、ファックス装置ＦＫ１のＲＯＭには、スキャナ機能を実現させるための各種プログラムを記憶していなくても良い。ファックス装置ＦＫ１のＣＰＵは、ＲＯＭに記憶された各種プログラムをＲＡＭに読み出して実行することにより、ファックス制御ユニットを制御して、受信した画像に対する印刷機能を実現するための印字機構部としてのエンジン部を制御したり、画像を外部装置に送信したりして、ファクシミリ機能を実現させる。
【００２７】
次に、ＭＦＰ１においてＣＰＵ１０が各種プログラムを実行することにより実現される各種機能について説明する。図４は、図２に示したＭＦＰ１の機能構成を例示する図である。ＭＦＰ１は、オペレーションパネル制御部１００と、ネットワーク制御部１０１と、読み取り制御部１０２と、要求解釈部１０３と、画像生成部１０４と、印刷制御部１０５と、暗号キー管理部１０６と、キー管理テーブル１０６ａとを有する。オペレーションパネル制御部１００は、オペレーションパネル１５を介して入力されたユーザからの要求を要求解釈部１０３に渡したり、要求解釈部１０３から渡された情報を表示させたりする。ネットワーク制御部１０１は、ネットワークＩ／Ｆ１４を制御し、ネットワークＮＴを介した外部装置との通信を制御する。読み取り制御部１０２は、要求解釈部１０３からの指示に応じて、スキャナ機能を実現させるエンジン部１８を制御し、画像の読み取りを制御する。画像生成部１０４は、要求解釈部１０３からの指示に応じて、印刷用の画像を生成してこれを印刷制御部１０５に渡す。また、画像生成部１０４は、要求解釈部１０３からの指示に応じて、画像を暗号化したり復号化したりする。印刷制御部１０５は、印刷機能を実現させるエンジン部１７を制御して、画像生成部１０４から渡された画像を印刷する。暗号キー管理部１０６は、要求解釈部１０３からの指示に応じて、画像を暗号化するための暗号キーを生成したり、暗号キーと画像との対応関係をキー管理テーブル１０６ａに記憶したり、これらの対応関係を読み出したりする。キー管理テーブル１０６ａは、暗号キー管理部１０６が発行した暗号キーと画像との対応関係を記憶するテーブルであり、例えば、ＲＡＭ１２に記憶される。キー管理テーブル１０６ａの具体的なデータ構成については後述する。要求解釈部１０３は、オペレーションパネル制御部１００から渡されたユーザの要求や、ネットワーク制御部１０１を介して外部装置から受信した要求の内容を判断して、判断結果に応じて、各部１０１，１０２，１０４，１０５，１０６に指示を出す。
【００２８】
特に、本実施の形態においては、要求解釈部１０３は、ユーザからの要求に応じて画像を印刷する場合、当該画像に対する暗号キーの発行を暗号キー管理部１０６に指示し、画像の保存先の画像処理装置に対する当該画像及び暗号キーの送信をネットワーク制御部１０１に指示する。この指示に応じて、ネットワーク制御部１０１は、画像及び暗号キーを、画像の保存先の画像処理装置に送信する。また、要求解釈部１０３は、画像の保存先の画像処理装置からの画像の利用に対する応答を要求する利用依頼要求に応じた応答の送信をネットワーク制御部１０１に指示する。この指示に応じて、ネットワーク制御部１０１は、画像の保存先の画像処理装置に応答を送信する。
【００２９】
次に、ＭＦＰ２においてＣＰＵ２０が各種プログラムを実行することにより実現される各種機能について説明する。図５は、図３に示したＭＦＰ２の機能構成を例示する図である。ＭＦＰ２は、オペレーションパネル制御部２００と、ネットワーク制御部２０１と、読み取り制御部２０２と、要求解釈部２０３と、画像生成部２０４と、印刷制御部２０５と、画像保存部２０６とを有する。オペレーションパネル制御部２００と、ネットワーク制御部２０１と、読み取り制御部２０２と、画像生成部２０４と、印刷制御部２０５とは各々、上述のオペレーションパネル制御部１００と、ネットワーク制御部１０１と、読み取り制御部１０２と、画像生成部１０４と、印刷制御部１０５と略同様であるため、その説明を省略する。ＭＦＰ２の機能的構成がＭＦＰ１と異なる点は、ＭＦＰ２が暗号キー管理部を有さず、画像保存部２０６を有する点である。画像保存部２０６は、画像生成部２０４が生成した画像や、後述する画像保存要求に応じて他の画像処理装置からネットワークＮＴを介して受信され画像生成部２０４が暗号化した画像（暗号画像）を記憶する。この画像保存部２０６は、ＨＤＤ２９に相当する。また、画像保存部２０６は、画像管理テーブル２０６ａを有する。画像管理テーブル２０６ａは、暗号画像と、上述の画像を送信した他の画像処理装置との対応関係を記憶する。画像管理テーブル２０６ａの具体的なデータ構成については後述する。また、要求解釈部２０３は、オペレーションパネル制御部２００から渡されたユーザの要求や、ネットワーク制御部２０１を介して外部装置から受信した要求の内容を判断して、判断結果に応じて、各部２０１，２０２，２０４，２０５に指示を出す。
【００３０】
特に、本実施の形態においては、要求解釈部２０３は、画像の保存を要求する他の画像処理装置からの画像保存要求に応じて、暗号キーを用いた画像の暗号化を画像生成部２０４に指示し、当該指示に応じて暗号化された画像（暗号画像）を画像保存部２０６に記憶する。また、要求解釈部２０３は、画像の再印刷を要求するユーザからの再印刷要求に応じて、当該画像の保存を要求した他の画像処理装置に対する、画像の利用に対する応答を要求する利用依頼要求の送信をネットワーク制御部２０１に指示する。そして、要求解釈部２０３は、利用依頼要求に対する応答に基づいて暗号キーを取得し、画像保存部２０６に記憶した暗号画像を読み出し、暗号キーを用いた暗号画像の復号化を画像生成部２０４に指示する。この結果、画像生成部２０４により暗号画像が復号化され、印刷制御部２０５により画像が印刷される。
【００３１】
（２）動作
次に、本実施の形態にかかる画像処理システムの動作について説明する。まず、図６を参照しながら、ＭＦＰ１がユーザからのコピー要求に応じて行う処理の手順を説明する。
【００３２】
＜コピー動作＞
ユーザが、オペレーションパネル１５において、対象の画像を指定して画像の大きさや用紙の大きさなどの印刷条件を設定し画像のコピーを要求するコピー要求を入力すると、ＭＦＰ１の要求解釈部１０３は、オペレーションパネル制御部１００を介して当該コピー要求の入力を受け付け（ステップＳ１）、指定された画像の読み取りを読み取り制御部１０２に指示する。読み取り制御部１０２は、当該指示に応じてエンジン部１８に画像の読み取りを指示し、エンジン部１８は画像を読み取る（ステップＳ２）。また、要求解釈部１０３は、ユーザにより設定された印刷条件に応じた画像の生成を画像生成部１０４に指示する。画像生成部１０４は、当該指示に応じて画像を生成してこれを印刷制御部１０５に渡す（ステップＳ３）。印刷制御部１０５は、エンジン部１７を制御して、画像生成部１０４から渡された画像を印刷する（ステップＳ４）。また、要求解釈部１０３は、コピー対象の画像を暗号化するための暗号キーの生成を暗号キー管理部１０６に指示する。暗号キー管理部１０６は、当該指示に応じて、暗号キーを発行する（ステップＳ５）。ここでは、暗号キー管理部１０６は、装置に固有の暗号キーを発行しても良いが、画像毎に一意に特定可能な暗号キーを発行することが望ましい。また、暗号キー管理部１０６は、画像を一意に特定可能に画像ID(Identifier)を当該画像に対して付与し、当該画像ＩＤと、暗号キーと、当該暗号キーを発行した画像処理装置を特定する発行装置情報（ここでは、ＭＦＰ１である）とを対応付けてキー管理テーブル１０６ａに記憶する。
【００３３】
図７は、キー管理テーブル１０６ａのデータ構成を例示する図である。同図においては、各行が画像毎のデータを示し、第一列は暗号キーを示し、第二列が画像ＩＤを示し、第三列は暗号キーを発行した画像処理装置を特定する発行装置情報を示し、各行が管理単位となっている。ここでは画像毎に暗号キーを発行した場合としているが、暗号キーが装置で固有であれば第一列はすべて同じ暗号キーとなる。尚、発行装置情報は、例えば、画像処理装置を一意に特定可能な装置ＩＤであっても良いし、ネットワークＮＴでアクセス可能なＩＰアドレスなどに変換可能なものであっても良い。
【００３４】
また、要求解釈部１０３は、保存対象の画像及び当該画像に対応する画像ＩＤを含み、画像の保存を要求する画像保存要求を、ネットワーク制御部１０１を介して送信する（ステップＳ６）。また、要求解釈部１０３は、ステップＳ６で送信した画像に対して発行された暗号キーを、ネットワーク制御部１０１を介して送信する（ステップＳ７）。
【００３５】
尚、ステップＳ６とステップＳ７とを同時に行い、保存対象の画像と暗号キーとを同時に送信するようにしても良いが、ステップＳ６とステップＳ７と異なるタイミングで行い、保存対象の画像と暗号キーとを別々のタイミングで送信することが望ましい。また、ネットワーク制御部１０１は、画像保存要求が、保存対象の画像、画像ＩＤ及び暗号キーのうち少なくとも一つを含むようにして送信しても良い。
【００３６】
＜画像保存動作＞
次に、ＭＦＰ２がＭＦＰ１から送信された画像保存要求に応じて画像を画像保存部２０６に記憶する処理の手順について図８を参照しながら説明する。ＭＦＰ２の要求解釈部２０３は、ネットワーク制御部２０１を介して、保存対象の画像及び画像ＩＤを含む画像保存要求をＭＦＰ１から受信する（ステップＳ１０）。また、要求解釈部２０３は、ネットワーク制御部２０１を介して、保存対象の画像に対して発行された暗号キーをＭＦＰ１から受信する（ステップＳ１１）。尚、保存対象の画像と暗号キーとが別々のタイミングでＭＦＰ１から送信される場合は、そのタイミングを予め規定しておき、規定されたタイミングに応じて、ＭＦＰ２は、保存対象の画像と暗号キーとを個別に受信する。そして、要求解釈部２０３は、受信された保存対象の画像の暗号化を画像生成部２０４に指示する。画像生成部２０４は、受信された暗号キーで保存対象の画像を暗号化してこれを要求解釈部２０３に渡す（ステップＳ１２）。要求解釈部２０３は、画像生成部２０４から渡された画像（暗号画像）を画像保存部２０６に記憶する（ステップＳ１３）。また、要求解釈部２０３は、ステップＳ１０で受信された画像ＩＤと、画像保存要求を送信した画像処理装置としてＭＦＰ１を特定する送信装置情報と、暗号画像の記憶されている場所を示す格納場所情報とを対応付けて画像管理テーブル２０６ａに記憶する。
【００３７】
図９は、画像管理テーブル２０６ａのデータ構成を例示する図である。同図においては、各行が画像毎のデータを示し、第一列は、画像に対して付与された画像ＩＤを示し、第二列は、送信装置情報を示し、第三列は、格納場所情報を示している。ここでは、送信装置情報として、例えば、ネットワークＮＴでアクセス可能なＩＰアドレスなどに変換可能なものを用いれば良い。また、格納場所情報は、例えば、ＨＤＤ２９において画像が記憶されているアドレスやディレクトリであれば良い。
【００３８】
＜画像利用動作＞
次に、ＭＦＰ２が画像保存部２０６に記憶した暗号画像を基に再印刷を行う場合の処理の手順について図１０を参照しながら説明する。ユーザが、オペレーションパネル２５において、対象の画像を指定して画像の再印刷を要求する再印刷要求を入力すると、ＭＦＰ２の要求解釈部２０３は、オペレーションパネル制御部１００を介して当該再印刷要求の入力を受け付け（ステップＳ２０）、画像管理テーブル２０６ａを参照して、当該画像に対する画像ＩＤと、当該画像の送信元の画像処理装置を特定する送信装置情報とを取得する（ステップＳ２１）。そして、要求解釈部２０３は、ネットワーク制御部２０１を介して、ステップＳ２１で取得した画像ＩＤを含み、当該画像ＩＤに対応する画像の利用に対する応答を要求する利用依頼要求を、送信装置情報によって画像の送信元として特定される画像処理装置（ここではＭＦＰ１とする）に送信する（ステップＳ２２）。そして、要求解釈部２０３は、ＭＦＰ１からの応答を所定時間待機する。当該利用依頼要求に応じて、当該画像の画像ＩＤに対応する暗号キーを含む応答がＭＦＰ１から送信されて、所定時間が経過する前に当該応答をネットワーク制御部２０１が受信すると（ステップＳ２３：ＹＥＳ）、要求解釈部２０３は、ネットワーク制御部２０１を介して、当該応答に含まれる暗号キーを取得する（ステップＳ２４）。次いで、要求解釈部２０３は、画像管理テーブル２０６ａを参照して、上述の画像ＩＤに対応する格納場所情報によって示される格納場所に記憶された暗号画像を画像保存部２０６から読み出し、当該暗号画像の復号化を画像生成部２０４に指示する。画像生成部２０４は、当該指示に応じて、ステップＳ２３で取得された暗号キーを用いて、ステップＳ２３で読み出された画像を復号化しこれを印刷制御部２０５に渡す（ステップＳ２５）。印刷制御部２０５は、エンジン部２７を制御して、画像生成部２０４から渡された画像を印刷する（ステップＳ２６）。
【００３９】
尚、所定時間経過してもＭＦＰ１からの応答を受信することができない場合（ステップＳ２３：ＮＯ）、タイムアウトしたとして、処理は終了する。
【００４０】
＜応答動作＞
ここで、上述のステップＳ２１でＭＦＰ２から送信された利用依頼要求をＭＦＰ１が受信した場合の処理の手順について図１１を参照しながら説明する。ＭＦＰ１の要求解釈部１０３は、ネットワーク制御部１０１を介して利用依頼要求を受信すると（ステップＳ３０）、利用依頼要求に含まれる画像ＩＤを取得する（ステップＳ３１）。そして、要求解釈部１０３は、ステップＳ３１で取得した画像ＩＤに対応する暗号キーの取得を暗号キー管理部１０６に指示する。暗号キー管理部１０６は、キー管理テーブル１０６ａを参照して、当該画像ＩＤに対応する暗号キーを読み出し、これを要求解釈部１０３に渡す（ステップＳ３２）。要求解釈部１０３は、暗号キー管理部１０６から渡された暗号キーを含む応答を、ネットワーク制御部１０１を介してＭＦＰ２に送信する（ステップＳ３３）。
【００４１】
以上のように、ＨＤＤなどの大容量ストレージを有さない画像処理装置であっても、暗号キーを発行してこれと共に画像の保存を、大容量ストレージを有する他の画像処理装置に要求することにより、画像の保存を実現させることができる。さらに、他の画像処理装置に画像を保存しても、画像の保存を要求した画像処理装置が暗号キーを管理することで、当該画像処理装置を介さずにはこの他の画像処理装置に保存された画像を利用することができないため、セキュリティを確保することができる。
【００４２】
また、画像の保存を要求する画像処理装置は、その画像と暗号キーとを別々のタイミングで他の画像処理装置に送信して画像の保存を要求することにより、たとえ一つの暗号キーが傍受されたとしても他の画像は復号化できないため、より安全な画像処理システムを構築することができる。
【００４３】
また、暗号キーを画像毎に発行することで、画像毎のセキュリティを確保することができ、より安全な画像処理システムを構築することができる。
【００４４】
[第２の実施の形態]
次に、画像処理システムの第２の実施の形態について説明する。なお、上述の第１の実施の形態と共通する部分については、同一の符号を使用して説明したり、説明を省略したりする。
【００４５】
（１）構成
本実施の形態にかかる画像処理システムの構成は、上述の第１の実施の形態にかかる画像処理システムの構成とは以下の点で異なる。上述の第１の実施の形態においては、保存対象の画像の暗号化は、画像を記憶するＭＦＰ２が行うようにしたが、本実施の形態においては、画像の保存を要求するＭＦＰ１が行うように構成する。ＭＦＰ１は、上述の実施の形態においては画像保存要求と共に暗号キーをＭＦＰ２に送信したが、本実施の形態においては暗号キーをＭＦＰ２に送信しない。
【００４６】
本実施の形態におけるＭＦＰ１の要求解釈部１０３の機能が、上述の第１の実施の形態にかかる要求解釈部１０３の機能と異なる点は以下の通りである。要求解釈部１０３は、暗号キー管理部１０６が発行した暗号キーを用いたコピー対象の画像の暗号化を画像生成部１０４に指示する。そして、要求解釈部１０３は、画像保存要求の際に、保存対象の画像として、画像生成部１０４が暗号化した画像（暗号画像）及び当該画像ＩＤとのＭＦＰ２への送信をネットワーク制御部１０１に指示する。
【００４７】
また、本実施の形態におけるＭＦＰ２の要求解釈部２０３の機能が、上述の第１の実施の形態にかかる要求解釈部２０３の機能と異なる点は以下の通りである。要求解釈部２０３は、画像保存要求に応じて送信された暗号画像を画像保存部２０６に記憶する。また、要求解釈部２０３は、再印刷要求に応じて、当該暗号画像を含む利用依頼要求の送信をネットワーク制御部１０１に指示する。そして、要求解釈部２０３は、利用依頼要求に対する応答に基づいて、暗号画像が復号化された画像を取得し、当該画像の印刷を印刷制御部２０５に指示する。
【００４８】
（２）動作
次に、本実施の形態にかかる画像処理システムの動作について説明する。尚、上述の第１の実施の形態と共通する部分については、その説明を省略することがある。まず、図１２を参照しながら、ＭＦＰ１がユーザからのコピー要求に応じて行う処理の手順を説明する。
【００４９】
＜コピー動作＞
ステップＳ１〜Ｓ５については上述の第１の実施の形態と同様である。ステップＳ５の後ステップＳ６´では、ＭＦＰ１の要求解釈部１０３は、暗号キー管理部１０６が発行した暗号キーを用いたコピー対象の画像の暗号化を画像生成部１０４に指示する。画像生成部１０４は、当該指示に応じて、当該暗号キーを用いて当該画像を暗号化してこれを要求解釈部１０３に渡す。そして、要求解釈部１０３は、ネットワーク制御部１０１を介して、保存対象の画像として、画像生成部１０４から渡された画像（暗号画像）及び当該暗号画像に対応する画像ＩＤを含む画像保存要求をＭＦＰ２へ送信する（ステップＳ７´）。即ち、ここでは、ＭＦＰ１は、保存対象の画像に対して発行した暗号キーをＭＦＰ２に送信しない。以降の処理の手順は上述の第１の実施の形態と同様である。
【００５０】
＜画像保存動作＞
次に、ＭＦＰ２がＭＦＰ１から送信された画像保存要求に応じて暗号画像を画像保存部２０６に記憶する処理の手順について図１３を参照しながら説明する。ＭＦＰ２の要求解釈部２０３は、ネットワーク制御部２０１を介して、保存対象の暗号画像及び画像ＩＤを含む画像保存要求をＭＦＰ１から受信する（ステップＳ４０）。次いで、要求解釈部２０３は、ステップＳ４０で受信された暗号画像を画像保存部２０６に記憶する（ステップＳ４１）。また、要求解釈部２０３は、ステップＳ４０で受信された画像ＩＤと、画像保存要求を送信したＭＦＰ１を特定する送信装置情報と、格納場所情報とを対応付けて画像管理テーブル２０６ａに記憶する。
【００５１】
＜画像利用動作＞
次に、ＭＦＰ２が画像保存部２０６に記憶した暗号画像を基に再印刷を行う場合の処理の手順について図１４を参照しながら説明する。ＭＦＰ２の要求解釈部２０３は、オペレーションパネル制御部２００を介して再印刷要求の入力を受け付けると（ステップＳ２０）、画像管理テーブル２０６ａを参照して、当該暗号画像に対応する画像ＩＤと、当該暗号画像の送信元の画像処理装置を特定する送信装置情報とを取得する。ここでは、更に、要求解釈部２０３は、画像管理テーブル２０６ａを参照して、上述の画像ＩＤに対応する格納場所情報によって示される格納場所に記憶された暗号画像を画像保存部２０６から読み出す（ステップＳ５０）。そして、要求解釈部２０３は、ネットワーク制御部２０１を介して、ステップＳ５０で取得した暗号画像と当該暗号画像に対応する画像ＩＤとを含む利用依頼要求を、送信装置情報によって特定される画像処理装置（ここではＭＦＰ１とする）に送信する（ステップＳ５１）。そして、要求解釈部２０３は、ＭＦＰ１からの応答を所定時間待機する。当該利用依頼要求に応じて、ステップＳ５１で送信された暗号画像が復号化された画像を含む応答がＭＦＰ１から送信されて、所定時間が経過する前に当該応答をネットワーク制御部２０１が受信すると（ステップＳ２３：ＹＥＳ）、要求解釈部２０３は、ネットワーク制御部２０１を介して、当該応答に含まれる画像を取得する（ステップＳ５３）。次いで、要求解釈部２０３は、ステップＳ５３で取得した画像を印刷制御部２０５に渡す。以降の上述の第１の実施の形態と同様にしてステップＳ２６の処理が行われて、画像が印刷される。
【００５２】
尚、所定時間経過してもＭＦＰ１からの応答を受信することができない場合（ステップＳ２３：ＮＯ）、タイムアウトしたとして、処理は終了する。
【００５３】
＜応答動作＞
ここで、上述のステップＳ５１でＭＦＰ２から送信された利用依頼要求をＭＦＰ１が受信した場合の処理の手順について図１５を参照しながら説明する。ＭＦＰ１の要求解釈部１０３は、ネットワーク制御部１０１を介して利用依頼要求を受信すると（ステップＳ３０）、利用依頼要求に含まれる暗号画像及び画像ＩＤを取得する（ステップＳ６０）。そして、要求解釈部１０３は、ステップＳ６０で取得した画像ＩＤに対応する暗号キーの取得を暗号キー管理部１０６に指示する。暗号キー管理部１０６は、キー管理テーブル１０６ａを参照して、当該画像ＩＤに対応する暗号キーを読み出し、これを要求解釈部１０３に渡す（ステップＳ６１）。要求解釈部１０３は、暗号キー管理部１０６から渡された暗号キーを用いて、ステップＳ６０で受信された利用依頼要求に含まれる暗号画像の復号化を画像生成部２０４に指示する。画像生成部２０４は、当該画像を復号化してこれを要求解釈部２０３に渡す（ステップＳ６２）。要求解釈部２０３は、ネットワーク制御部２０１を介して、ステップＳ６２で復号化された画像を含む応答をＭＦＰ２に送信する（ステップＳ６３）。
【００５４】
以上のようにして、大容量ストレージを有さない画像処理装置であっても暗号キーを用いて暗号化した画像（暗号画像）の保存を、大容量ストレージを有する他の画像処理装置へ要求することにより、画像の保存を実現させることができる。さらに、画像の保存を要求した画像処理装置が暗号画像を復号化してこれを他の画像処理装置に送信することにより、暗号キーを通信することなく、この他の画像処理装置に保存された暗号画像を利用可能にすることができる。このため、セキュリティをより高く確保することができる。
【００５５】
[第３の実施の形態]
次に、画像処理システムの第３の実施の形態について説明する。なお、上述の第１の実施の形態又は第２の実施の形態と共通する部分については、同一の符号を使用して説明したり、説明を省略したりする。
【００５６】
（１） 構成
本実施の形態においては、キー管理テーブル１０６ａをＳＤカード３０などの外部メモリに記憶させる。図１６は、本実施の形態にかかるＭＦＰ１´の機能的構成を示す図である。図１７は、本実施の形態にかかるＭＦＰ２´の機能的構成を示す図である。尚、本実施の形態においては、ＭＦＰ１´とＭＦＰ２´とがネットワークＮＴを介して接続されて画像処理システムが構成される。本実施の形態にかかるＭＦＰ１´の機能的構成が、上述の第１の実施の形態にかかるＭＦＰ１´の機能的構成と異なる点は、外部メモリ制御部１０７を有する点である。外部メモリ制御部１０７は、図２に示したＳＤカード３０が接続されるＳＤカードドライブ１６を制御し、ＳＤカード３０へのデータの書き込み及びＳＤカード３０からのデータの読出しを制御する。また、要求解釈部１０３の機能は上述の第１の実施の形態に要求解釈部１０３の機能と以下の点で異なる。要求解釈部１０３は、外部メモリ制御部１０７を介して、暗号キー管理部１０６が発行した暗号キー及び画像ＩＤとの対応関係をＳＤカード３０のキー管理テーブル１０６ａに書き出す。
【００５７】
また、本実施の形態にかかるＭＦＰ２´の機能的構成が、上述の第１の実施の形態にかかるＭＦＰ２の機能的構成と異なる点は、外部メモリ制御部２０７を有する点である。外部メモリ制御部２０７の機能は、外部メモリ制御部１０７の機能と略同様である。また、要求解釈部２０３の機能は上述の第１の実施の形態に要求解釈部２０３の機能と以下の点で異なる。要求解釈部２０３は、外部メモリ制御部２０７を介して、暗号キー及び画像ＩＤをＳＤカード３０のキー管理テーブル１０６ａから読み出し、当該画像ＩＤに対応する暗号画像を画像保存部２０６から読み出し、暗号キーを用いた暗号画像の復号化を画像生成部２０４に指示する。
【００５８】
（２）動作
次に、本実施の形態にかかる画像処理システムの動作について説明する。尚、上述の第１の実施の形態又は第２の実施の形態と共通する部分については、その説明を省略することがある。まず、図１８を参照しながら、ＭＦＰ１´がユーザからのコピー要求に応じて行う処理の手順を説明する。
【００５９】
＜コピー動作＞
ステップＳ１〜Ｓ４については上述の第１の実施の形態と同様である。ステップＳ４の後ステップＳ５´では、暗号キー管理部１０６は、要求解釈部１０３からの指示に応じて、コピー対象の画像に対して暗号キーを発行する。また、暗号キー管理部１０６は、コピー対象の画像に対して画像ＩＤを付与し、画像ＩＤと暗号キーとを対応つけて一時的に記憶する。その後のステップＳ６´〜Ｓ７´の処理は上述の第２の実施の形態と同様である。そして、ステップＳ８では、要求解釈部１０３は、外部メモリ制御部１０７を介して、暗号キー管理部１０６に一時的に記憶した画像ＩＤ及び暗号キーと、送信装置情報とをＳＤカード３０のキー管理テーブル１０６ａに記憶させる。
【００６０】
＜画像利用動作＞
次に、ＭＦＰ２´が画像保存部２０６に記憶した暗号画像を基に再印刷を行う場合の処理の手順について図１９を参照しながら説明する。ここでは、上述の図１８のステップＳ８の後、ユーザは、ＭＦＰ１´に取り付けていたＳＤカード３０を取り外し、これをＭＦＰ２´に取り付ける。これにより、ＭＦＰ２´は、ＳＤカード３０に記憶されたデータの読み出しを行うことができる。そして、ＭＦＰ２´の要求解釈部２０３は、外部メモリ制御部２０７を介して、画像ＩＤ及び暗号キーをＳＤカード３０から読み出す（ステップＳ７０）。そして、要求解釈部２０３は、画像管理テーブル２０６ａを参照して、ステップＳ７０で読み出された画像ＩＤに対応する暗号画像を画像保存部２０６から読み出す（ステップＳ７１）。そして、要求解釈部２０３は、ステップＳ７０で読み出した暗号キーを用いた、ステップＳ７１で読み出された暗号画像の復号化を画像生成部２０４に指示する。画像生成部２０４は、当該画像を復号化してこれを印刷制御部２０５に渡す（ステップＳ７２）。以降のステップＳ２６は上述の第１の実施の形態と同様である。
【００６１】
以上のようにして、大容量ストレージを有さない画像処理装置であっても暗号キーを用いて暗号化した画像（暗号画像）の保存を、大容量ストレージを有する他の画像処理装置へ要求することにより、画像の保存を実現させることができる。また、画像を保存した他の画像処理装置は、画像処理装置に着脱可能なＳＤカードなどの外部メモリを介して暗号キー及び画像ＩＤを取得して暗号画像を復号化することで、暗号キーを通信することなく、この他の画像処理装置に保存された画像を利用可能にすることができる。このため、セキュリティをより高く確保することができる。
【００６２】
[第４の実施の形態]
次に、画像処理システムの第４の実施の形態について説明する。なお、上述の第１の実施の形態乃至第３の実施の形態のいずれかと共通する部分については、同一の符号を使用して説明したり、説明を省略したりする。
【００６３】
（１）構成
本実施の形態においては、ＳＤカード３０などの外部メモリを介して、キー管理テーブル１０６ａを他の画像処理装置に移管することができるように構成する。図２０は、本実施の形態にかかるＭＦＰ１"の構成を示す図である。図２１は、本実施の形態にかかるＭＦＰ２"の構成を示す図である。本実施の形態においては、ＭＦＰ１"とＭＦＰ２"とがネットワークＮＴを介して接続されて画像処理システムが構成される。本実施の形態にかかるＭＦＰ１"の構成が、上述の第３の実施の形態にかかるＭＦＰ１´の構成と異なる点は、以下の点である。上述の第３の実施の形態においては、ＭＦＰ１´は上述の第１の実施の形態で説明したキー管理テーブル１０６ａをＲＡＭ１２などに記憶せずＳＤカード３０に記憶させるようにしたが、本実施の形態においては、第１の実施の形態と同様に、キー管理テーブル１０６ａをＲＡＭ１２などに記憶し、キー管理テーブル１０６ａの移管の際にこれをＳＤカード３０に記憶させる。
【００６４】
このような構成において、本実施の形態におけるＭＦＰ１"の要求解釈部１０３の機能が、上述の第３の実施の形態で説明したＭＦＰ１´の要求解釈部１０３の機能と異なる点は以下の通りである。要求解釈部１０３は、移管の開始として、キー管理テーブル１０６ａを移管する移管開始要求がオペレーションパネル１５を介して入力された場合、暗号キー管理部１０６を介してキー管理テーブル１０６ａを取得し、外部メモリ制御部１０７を介して、キー管理テーブル１０６ａをＳＤカード３０に記憶させる。
【００６５】
また、本実施の形態におけるＭＦＰ２"の要求解釈部２０３の機能が、上述の第３の実施の形態で説明したＭＦＰ２´の要求解釈部２０３の機能と異なる点は以下の通りである。要求解釈部２０３は、移管の完了として、キー管理テーブル１０６ａを移管させる移管完了要求がオペレーションパネル１５を介して入力された場合、外部メモリ制御部２０７を介して、ＳＤカード３０に記憶されたキー管理テーブル１０６ａを取得しこれを更新してＲＡＭ２２などに記憶すると共に、画像管理テーブル２０６ａを更新する。
【００６６】
（２）動作
次に、キー管理テーブル１０６ａをＭＦＰ１"からＭＦＰ２"に移管する処理の手順について説明する。まず、移管の開始として、ＭＦＰ１"がキー管理テーブル１０６ａをＳＤカード３０に記憶させる処理の手順について図２２を参照しながら説明する。ユーザが、ＭＦＰ１"のオペレーションパネル１５において、キー管理テーブル１０６ａを移管する移管開始要求を入力すると、ＭＦＰ１"の要求解釈部１０３は、オペレーションパネル制御部１００を介して当該移管開始要求の入力を受け付け（ステップＳ８０）、暗号キー管理部１０６を介して、キー管理テーブル１０６ａに記憶されているデータを読み出すことにより、キー管理テーブル１０６ａを取得する（ステップＳ８１）。そして、要求解釈部１０３は、外部メモリ制御部１０７を介して、ステップＳ８１で取得したキー管理テーブル１０６ａをＳＤカード３０に記憶させる（ステップＳ８２）。
【００６７】
その後、ユーザが、ＭＦＰ１"に取り付けていたＳＤカード３０を取り外し、これをＭＦＰ２"に取り付ける。そして、以下のように移管の完了が行われる。ここで、移管の完了として、ＭＦＰ２"がキー管理テーブル１０６ａをＳＤカード３０から取得する処理の手順について図２３を参照しながら説明する。ユーザが、ＭＦＰ２"のオペレーションパネル２５において、キー管理テーブル１０６ａを移管させる移管完了要求を入力すると、要求解釈部２０３は、オペレーションパネル制御部２００を介して当該移管完了要求の入力を受け付け（ステップＳ９０）、外部メモリ制御部２０７を介して、ＳＤカード３０に記憶されたキー管理テーブル１０６ａに記憶されたデータを読み出すことにより、キー管理テーブル１０６ａを取得する（ステップＳ９１）。そして、要求解釈部２０３は、ステップＳ９１で取得したキー管理テーブル１０６ａに記憶されている発行装置情報を更新し、当該キー管理テーブル１０６ａをＲＡＭ２２に記憶する（ステップＳ９２）。具体的には、要求解釈部２０３は、発行装置情報によって特定される画像処理装置を、キー管理テーブル１０６ａの移管先である画像処理装置（ここでは、ＭＦＰ２"である）を特定する情報に書き換える。以降、キー管理テーブル１０６ａへのアクセスは、暗号キー管理部２０８により制御される。また、要求解釈部２０３は、画像管理テーブル２０６ａに記憶されている送信装置情報を更新する（ステップＳ９３）。具体的には、要求解釈部２０３は、送信装置情報によって特定される画像処理装置を、キー管理テーブル１０６ａの移管先である画像処理装置（ここでは、ＭＦＰ２"である）を特定する情報に書き換える。
【００６８】
以上のようにして、ＨＤＤなどの大容量ストレージを有さない画像処理装置が有し他の画像処理装置に保存された画像に関するキー管理テーブルを、ＳＤカードなどの外部メモリを介して他の画像処理装置へ移管する。この結果、画像処理システムの構成の変更により、前者の画像処理装置を利用しなくなったとしても、後者の画像処理装置（他の画像処理装置）がキー管理テーブルを有することにより、他の画像処理装置に保存された画像を有効に利用できる。従って、柔軟な画像処理システムを構築することが可能となる。
【００６９】
尚、画像を保存した他の画像処理装置（ここでは、ＭＦＰ２"である）にキー管理テーブルを移管するようにしたが、画像を保存していない別の画像処理装置にキー管理テーブルを移管するようにしても良い。
【００７０】
[変形例]
また、上述した各実施の形態に限定されるものではなく、以下に例示するような種々の変形が可能である。
【００７１】
＜変形例１＞
上述した各実施の形態においては、画像処理システムの構成は上述のものに限らず、プリンタ装置ＰＲ１、ファックス装置ＦＫ１及びスキャナ装置ＳＫ１のうちいずれか１つ以上がＨＤＤなどの大容量ストレージを有するように構成しても良い。また、画像システムは、プリンタ装置ＰＲ１、ファックス装置ＦＫ１及びスキャナ装置ＳＫ１を有さない構成であっても良い。また、画像処理システムは、同一の機能を有する装置を複数有しても良い。また、上述の各実施の形態においては、画像の保存を要求する画像処理装置は複合機（ＭＦＰ１，ＭＦＰ１´，ＭＦＰ１"）であるとして説明したが、プリンタ装置ＰＲ１、ファックス装置ＦＫ１及びスキャナ装置ＳＫ１のうち少なくとも１つであっても良い。
【００７２】
また、上述の各実施の形態においては、画像の出力及び画像の利用の例として、画像を印刷する場合の動作について説明した。しかし、これに限らず、ファクシミリ通信により画像を送信することにより画像を出力する場合についても、上述の各実施の形態と同様に構成することができる。
【００７３】
＜変形例２＞
上述した第１の実施の形態及び第２の実施の形態においては、画像の保存を要求した画像処理装置（ここでは、ＭＦＰ１である）が、ＭＦＰ２の画像保存部２０６に記憶された暗号画像を基に再印刷を行うようにしても良い。この場合、ＭＦＰ１の有するキー管理テーブル（図示せず）は、暗号キーと、画像ＩＤと、発行装置情報とに加え、画像の保存先の画像処理装置を特定する保存装置情報とを対応付けて記憶する。保存装置情報としては、例えば、ネットワークＮＴでアクセス可能なＩＰアドレスなどに変換可能なものを用いれば良い。また、暗号キー管理部１０６は、例えば、上述のステップＳ５で、暗号キーと、画像ＩＤと、発行装置情報と、保存装置情報を対応付けてキー管理テーブルに記憶する。
【００７４】
図２４は、本変形例に係る暗号画像を基に再印刷を行う処理の手順を示すフローチャートである。ユーザが、オペレーションパネル１５において、対象の画像を指定して画像を再印刷する要求（再印刷要求）を入力すると、ＭＦＰ１の要求解釈部１０３は、オペレーションパネル制御部１００を介して当該再印刷要求の入力を受け付け（ステップＳ１００）、キー管理テーブルを参照して、当該画像に対する画像ＩＤと、当該画像の保存先の画像処理装置を特定する保存装置情報とを取得する（ステップＳ１０１）。そして、要求解釈部１０３は、ネットワーク制御部１０１を介して、ステップＳ１０１で取得した画像ＩＤを含み、当該画像ＩＤに対応する画像の送信を要求する画像送信要求を、保存装置情報によって画像の保存先として特定される画像処理装置（ここではＭＦＰ２とする）に送信する（ステップＳ１０２）。そして、要求解釈部１０３は、当該画像送信要求に応じて、当該画像の画像ＩＤに対応する画像であり暗号キーにより暗号化された画像（暗号画像）を含む応答がＭＦＰ２から送信されて、当該応答をネットワーク制御部１０１が受信すると、要求解釈部１０３は、ネットワーク制御部１０１を介して、当該応答に含まれる暗号画像を取得する（ステップＳ１０３）。次いで、要求解釈部１０３は、キー管理テーブルを参照して、指定された画像に対する画像ＩＤに対応する暗号キーを取得する（ステップＳ１０４）。次いで、要求解釈部１０３は、ステップＳ１０４で取得した暗号キーを用いた暗号画像の復号化を画像生成部１０４に指示する。画像生成部１０４は、当該指示に応じて、当該暗号キーを用いて当該暗号画像を復号化してこれを印刷制御部１０５に渡す（ステップＳ１０５）。印刷制御部１０５は、エンジン部１７を制御して、画像生成部１０４から渡された画像を印刷する（ステップＳ１０６）。
【００７５】
以上のような構成によれば、画像の保存を要求した画像処理装置においても、画像を保存した他の画像処理装置から画像を取得することにより、当該画像を利用することができる。また、他の画像処理装置からは、暗号キーを用いて暗号化された暗号画像を送信することにより、当該画像に対して発行された暗号キーを有さない画像処理装置では、当該暗号画像の復号化を行うことができないため、画像をより安全に利用することができる。
【００７６】
また、第３の実施の形態においても、画像の保存を要求した画像処理装置（ここでは、ＭＦＰ１´である）が、ＭＦＰ２´の画像保存部２０６に記憶された暗号画像を基に再印刷を行うようにしても良い。この場合、ＳＤカード３０に記憶されるキー管理テーブル（図示せず）は、本変形例で説明した上述のものと同様である。このような構成において、ＭＦＰ１´の要求解釈部１０３は、図２４のステップＳ１０４では、外部メモリ制御部１０７を介して、ＳＤカード３０に記憶されたキー管理テーブルを参照して、指定された画像に対する画像ＩＤに対応する暗号キーを取得する。
【００７７】
また、第４の実施の形態においても同様に、画像の保存を要求した画像処理装置（ここでは、ＭＦＰ１"である）が、ＭＦＰ２"の画像保存部２０６に記憶された暗号画像に基づく再印刷を行うようにしても良い。
【００７８】
＜変形例３＞
上述した各実施の形態においては、ＭＦＰ１〜ＭＦＰ２、ＭＦＰ１´〜ＭＦＰ２´、ＭＦＰ１"〜ＭＦＰ２"で実行される各種プログラムは、インストール可能な形式又は実行可能な形式のファイルでＣＤ−ＲＯＭ、フレキシブルディスク（ＦＤ）、ＣＤ−Ｒ、ＤＶＤ（Digital Versatile Disk）等のコンピュータで読み取り可能な記録媒体に記録して提供するように構成しても良い。さらに、各種プログラムを、インターネット等のネットワークに接続されたコンピュータ上に格納し、ネットワーク経由でダウンロードさせることにより提供するように構成しても良い。
【００７９】
＜変形例４＞
上述した各実施の形態においては、画像生成部１０４は、画像を暗号化する暗号化機能及び画像を復号化する復号化機能を有したが、これらの機能を有さず、ＭＦＰ１、ＭＦＰ１´又はＭＦＰ１"は、暗号化機能を有する暗号化部及び復号化機能を有する復号化部を別途有するようにしても良い。画像生成部２０４についても同様であり、ＭＦＰ２、ＭＦＰ２´又はＭＦＰ２"についても同様である。
【図面の簡単な説明】
【００８０】
【図１】第１の実施の形態にかかる画像処理システムの構成を例示する図である。
【図２】同実施の形態にかかるＭＦＰ１のハードウェア構成を例示する図である。
【図３】同実施の形態にかかるＭＦＰ２のハードウェア構成を例示する図である。
【図４】図２に示したＭＦＰ１の機能構成を例示する図である。
【図５】図３に示したＭＦＰ２の機能構成を例示する図である。
【図６】同実施の形態にかかるＭＦＰ１がユーザからのコピー要求に応じて行う処理の手順を示すフローチャートである。
【図７】同実施の形態にかかるキー管理テーブル１０６ａのデータ構成を例示する図である。
【図８】同実施の形態にかかるＭＦＰ２が画像保存要求に応じて画像を画像保存部２０６に記憶する処理の手順を示すフローチャートである。
【図９】画像管理テーブル２０６ａのデータ構成を例示する図である。
【図１０】同実施の形態にかかるＭＦＰ２が画像保存部２０６に記憶した暗号画像を基に再印刷を行う場合の処理の手順を示すフローチャートである。
【図１１】図１０に示したステップＳ２１でＭＦＰ２から送信された利用依頼要求をＭＦＰ１が受信した場合の処理の手順を示すフローチャートである。
【図１２】第２の実施の形態にかかるＭＦＰ１がユーザからのコピー要求に応じて行う処理の手順を示すフローチャートである。
【図１３】同実施の形態にかかるＭＦＰ２がＭＦＰ１から送信された画像保存要求に応じて暗号画像を画像保存部２０６に記憶する処理の手順を示すフローチャートである。
【図１４】同実施の形態にかかるＭＦＰ２が画像保存部２０６に記憶した暗号画像を基に再印刷を行う場合の処理の手順を示すフローチャートである。
【図１５】図１４に示したステップＳ５１でＭＦＰ２から送信された利用依頼要求をＭＦＰ１が受信した場合の処理の手順を示すフローチャートである。
【図１６】第３の実施の形態にかかるＭＦＰ１´の機能的構成を示す図である。
【図１７】同実施の形態にかかるＭＦＰ２´の機能的構成を示す図である。
【図１８】同実施の形態にかかるＭＦＰ１´がユーザからのコピー要求に応じて行う処理の手順を示すフローチャートである。
【図１９】同実施の形態にかかるＭＦＰ２´が画像保存部２０６に記憶した暗号画像を基に再印刷を行う場合の処理の手順を示すフローチャートである。
【図２０】第４の実施の形態にかかるＭＦＰ１"の構成を示す図である。
【図２１】同実施の形態にかかるＭＦＰ２"の構成を示す図である。
【図２２】同実施の形態にかかるＭＦＰ１"がキー管理テーブル１０６ａをＳＤカード３０に記憶させる処理の手順を示すフローチャートである。
【図２３】同実施の形態にかかるＭＦＰ２"がキー管理テーブル１０６ａをＳＤカード３０から取得する処理の手順を示すフローチャートである。
【図２４】一変形例に係る暗号画像を基に再印刷を行う処理の手順を示すフローチャートである。
【符号の説明】
【００８１】
１  ＭＦＰ
２  ＭＦＰ
１０  ＣＰＵ
１１  ＡＳＩＣ
１２  ＲＡＭ
１３  ＲＯＭ
１４  ネットワークインターフェース（Ｉ／Ｆ）
１５  オペレーションパネル
１６  ＳＤカードドライブ
１７  エンジン部（第１出力手段）
１８  エンジン部
２０  ＣＰＵ
２１  ＡＳＩＣ
２２  ＲＡＭ
２３  ＲＯＭ
２４  ネットワークインターフェース（Ｉ／Ｆ）
２５  オペレーションパネル
２６  ＳＤカードドライブ
２７  エンジン部（第２出力手段）
２８  エンジン部
２９  ＨＤＤ（画像記憶手段）
３０  ＳＤカード（記憶媒体）
１００  オペレーションパネル制御部（第１入力受付手段）
１０１  ネットワーク制御部（画像送信手段、利用受信手段、応答送信手段、送信手段、受信手段）
１０２  読み取り制御部
１０３  要求解釈部（第１記憶制御手段）
１０４  画像生成部（生成手段、暗号化手段、復号化手段）
１０５  印刷制御部（第１出力手段）
１０６  暗号キー管理部（発行手段）
１０６ａ  キー管理テーブル（対応関係記憶手段）
１０７  外部メモリ制御部（取得手段）
２００  オペレーションパネル制御部（第２入力受付手段）
２０１  ネットワーク制御部（画像受信手段、利用要求送信手段）
２０２  読み取り制御部
２０３  要求解釈部（画像記憶制御手段、第２記憶制御手段）
２０４  画像生成部（暗号化手段、復号化手段）
２０５  印刷制御部（第２出力手段）
２０６ａ  画像管理テーブル
２０６  画像保存部（画像記憶手段）
２０７  外部メモリ制御部（取得手段）
２０８  暗号キー管理部
ＮＴ  ネットワーク
ＦＫ１  ファックス装置
ＰＲ１  プリンタ装置
ＳＫ１  スキャナ装置
ＳＹＭ１  画像処理システム
【図１】
2009071656.tif 000003
【図２】
2009071656.tif 000004
【図３】
2009071656.tif 000005
【図４】
2009071656.tif 000006
【図５】
2009071656.tif 000007
【図６】
2009071656.tif 000008
【図７】
2009071656.tif 000009
【図８】
2009071656.tif 000010
【図９】
2009071656.tif 000011
【図１０】
2009071656.tif 000012
【図１１】
2009071656.tif 000013
【図１２】
2009071656.tif 000014
【図１３】
2009071656.tif 000015
【図１４】
2009071656.tif 000016
【図１５】
2009071656.tif 000017
【図１６】
2009071656.tif 000018
【図１７】
2009071656.tif 000019
【図１８】
2009071656.tif 000020
【図１９】
2009071656.tif 000021
【図２０】
2009071656.tif 000022
【図２１】
2009071656.tif 000023
【図２２】
2009071656.tif 000024
【図２３】
2009071656.tif 000025
【図２４】
2009071656.tif 000026